(57)【要約】【課題】この発明は、型化を図ったうえで、加工に適した簡易な構成を実現し得、且つ、安定した信頼性の高い折畳み展開を実現し得るようにすることにある。【解決手段】ハンドルアーム２０を、連結部材２４に対して該連結部材２４の略軸芯に略直交する面上で、且つその略延出方向が軸方向の係合ピン２８を介して回動自在に連結配置し、延出方向回りである係合ピン２８回りに回動されて折畳み展開されるように構成した。【選択図】図３
2006204141.tif 000002
【特許請求の範囲】
【請求項１】
リール本体に対して釣糸が巻回可能に配されたスプールを、前記リール本体に内装した巻取り駆動機構を介して駆動して前記釣糸を前記スプールに巻回してなる魚釣用リールのハンドルにおいて、
一端部が前記巻取り駆動機構に駆動可能に連結された連結部材と、
先端部に握持用摘み部が設けられたハンドルアームと、
前記連結部材の他端部に対して前記ハンドルアームの基端部を回転駆動可能に連結するものであって、軸心方向が、前記連結部材の略軸芯に対して略直交する面上で、且つ前記ハンドルアームの略延出方向に配置され、前記ハンドルアームを回転操作可能な第１の位置及び前記リール本体に対して折畳み収納した第２の位置に回動可能に支持する係合ピンと、
を具備することを特徴とする魚釣用リールのハンドル。
【請求項２】
前記ハンドルアームの握持用摘み部は、複数個が基端部を挟んで対向配置されることを特徴とする請求項１記載の魚釣用リールのハンドル。
【請求項３】
前記連結部材は、前記リール本体に対して軸方向に移動可能に配され、その移動位置に応じて選択的に前記ハンドルアームの前記係合ピン回りの回動を可能に設定することを特徴とする請求項１又は２記載の魚釣用リールのハンドル。
【請求項４】
前記リール本体に前記ハンドルアームの基端部が回動自在に摺接されるカバー部材を設けたことを特徴とする請求項１乃至３のいずれか記載の魚釣用リールのハンドル。
【発明の詳細な説明】
【技術分野】
【０００１】
この発明は、釣糸が巻回保持されるスプールをリール本体に配してなる魚釣用リールのハンドルに関する。
【背景技術】
【０００２】
一般に、魚釣用リールにおいては、リール本体にスプールを釣糸が巻回可能に配すると共に、リール本体に巻取り駆動機構を内装し、この巻取り駆動機構をリール本体の側部に配したハンドルを回転操作して駆動することにより、スプールへの釣糸の巻回を行う構成のものが知られている。
【０００３】
このような魚釣用リールに用いられるハンドルは、巻取り駆動機構の回転軸に連結される連結部材の一端部にクランク状のハンドルアームの一端部が係合ピンを介して連結され、このハンドルアームの他端には、釣り人が把持して回転操作するための摘み部が設けられる。このハンドルにおいては、そのハンドルアームがリール本体から延出されて配されている構成上、例えば魚釣用リールを，釣り場まで持ち運ぶような場合、邪魔となることで、リール本体に対して折畳み可能に配することが要請されている。
【０００４】
ところで、このようなハンドル折畳み構造としては、通常、連結部材とハンドルアームとを係合ピンで連結した構成のものが知られている。このハンドルアームの連結構成は、ハンドルアーム基部に、その延出方向に対して略直交して穿設し、この挿入孔に対して係合ピンを圧入して連結部材に連結される。ここで、係合ピンは、その軸心がハンドルアームの延出方向に対して略直交されて配される。
【０００５】
このハンドル折畳み構造は、ハンドルアームを折畳む場合、連結部材を駆動機構に連結する際のネジ部材を緩めることで、その係合ピンを軸芯としてハンドルアームを揺動させて折畳み収納される。
【０００６】
しかしながら、上記ハンドル折畳み構造では、クランクアームの折畳み状態において、折畳み位置での位置決めが困難なために、持ち運びの際にリール本体やスプール等にぶつかり、傷が付いてしまったり、損傷したりするという問題を有する。
【０００７】
そこで、最近、このようなハンドル折畳み構造においては、シングルハンドル型のハンドルアームの基部又は基部と対向する部材の少なくともいずれか一方にハンドルアームの基部を折畳み状態で保持する保持機構を備えて、ハンドルアームを、その折畳み位置及び展開位置において位置決め可能に構成したものが提案されている（例えば、特許文献１参照。）。
【特許文献１】特開平１１−２４３８１７号公報
【発明の開示】
【発明が解決しようとする課題】
【０００８】
ところが、上記特許文献１のハンドル折畳み構造では、その保持機構の構成上、クランクアームの基部と，該基部に対向する部材との対向面を十分に設けないと、ハンドル展開状態において、ハンドルのガタ付きを生じ、そのハンドル操作が不安定となる虞があるために、ガタ付きが無い程度の対向面を形成すると、ハンドルアームの基部が大型となるという問題を有する。
【０００９】
また、上記特許文献１のハンドル折畳み構造では、その折畳み方向がハンドルアームの揺動する方向となるために、例えば周知のダブルハンドル型のハンドル構造に適用することが困難である。そこで、ダブルハンドル型のハンドルアームを折畳み展開可能に構成する場合には、ハンドルアームを側面略Ｔ字状に形成して、このスタンド部位を連結部材に回動可能に組付けて、カム部材を用いて回動させるように構成することが考えられる。
【００１０】
しかしながら、上記ダブルハンドル型の折畳み構造では、ハンドルアームに突出部を設けなければならないために、アーム構造が複雑となり、製作加工が非常に面倒となると共に、アーム製造上に制約を受けることで、高価となるという問題を有する。
【００１１】
この発明は、上記事情に鑑みてなされたもので、小型化を図ったうえで、加工に適した簡易な構成を実現し得、且つ、安定した信頼性の高い折畳みハンドルを安価で実現し得るようにした魚釣用リールのハンドルを提供することを目的とする。
【課題を解決するための手段】
【００１２】
この発明は、リール本体に対して釣糸が巻回可能に配されたスプールを、前記リール本体に内装した巻取り駆動機構を介して駆動して前記釣糸を前記スプールに巻回してなる魚釣用リールのハンドルにおいて、一端部が前記巻取り駆動機構に駆動可能に連結された連結部材と、先端部に握持用摘み部が設けられたハンドルアームと、前記連結部材の他端部に対して前記ハンドルアームの基端部を回転駆動可能に連結するものであって、軸心方向が、前記連結部材の略軸芯に対して略直交する面上で、且つ前記ハンドルアームの略延出方向に配置され、前記ハンドルアームを回転操作可能な第１の位置及び前記リール本体に対して折畳み収納した第２の位置に回動可能に支持する係合ピンとを備えて構成した。
【００１３】
上記構成によれば、ハンドルアームは、連結部材に対して該連結部材の略軸芯に略直交する面上で、且つその略延出方向が軸方向の係合ピンを介して回動自在に連結配置されることにより、係合ピン回りに第１の位置あるいは第２の位置に回動されて折畳み展開されると、その第１及び第２の位置において、ハンドルアームの延出方向回りの回動が可能な状態となる。従って、特にハンドルアームのガタ付き抑え手段を付加することなく、その折畳み時及び展開時におけるガタ付き防止が実現されて信頼性の高い安定したハンドル折畳み展開が実現され、しかも、製作加工に適した簡易な構成を安価に実現することが可能となる。
【発明の効果】
【００１４】
以上述べたように、この発明によれば、小型化を図ったうえで、加工に適した簡易な構成を実現し得、且つ、安定した信頼性の高い折畳み展開を実現し得るようにした魚釣用リールのハンドルを提供することができる。
【発明を実施するための最良の形態】
【００１５】
以下、この発明の実施の形態について、図面を参照して詳細に説明する。
【００１６】
図１は、この発明の一実施の形態に係る魚釣用リールのハンドルの適用されたスピニングリールの外観構成を示すもので、剛性構造のリール本体１０には、脚部１１が延出して配され、この脚部１１の端部には、図示しない釣竿に取り付けられる竿取付部１２が設けられる。
【００１７】
また、リール本体１０には、ベール１３及び釣糸案内部１４を備えたロータ１５が回転自在に配され、このロータ１５の先端部には、前後方向に往復移動自在なスプール１６が同軸的に配される。上記ロータ１５は、詳細を後述する例えばダブルハンドル型のハンドルアーム２０の回転操作に連動して巻取り駆動機構を構成する図示しない回転機構を介して回転駆動される。同時に、上記スプール１６は、ハンドルアーム２０の回転操作に連動される図示しないオシレーティング機構を介して上記ロータ１５の回転軸方向に往復（前後）移動され、上記ロータ１５のベール１３及び釣糸案内部１４で案内された釣糸が巻回される。
【００１８】
なお、上記リール本体１０内には、ロータ１５の逆回転（釣糸をスプール１６から繰出す方向の回転）を防止する図示しない周知の一方向クラッチを備えた逆転防止機構が設けられ、この逆転防止機構を、例えばリール本体１０の後端壁部に設けた切換レバー１７を介して切換操作することにより、該ロータ１５が正逆転可能な状態と、正転可能でかつ逆転不能の状態とに切換え可能に構成される。このロータ１５がいずれの状態にあっても、上記ハンドルアーム２０を正転方向（釣糸をスプール１６に巻き取る方向の回転）に回転すると、釣糸放出位置にあるベール１３は、図示しない復帰機構を介して図１及び図２に示す釣糸巻取位置に復帰される。
【００１９】
上記リール本体１０内には、図２に示すように左右方向（スプール１６の移動方向と直交する方向）に上記スプール１６に釣糸を巻回するための巻取駆動機構を構成する駆動歯車２１が軸受２２を介して回転自在に内装される。この駆動歯車２１には、図４に示すように回転軸部２１１が上記左右方向に延出して設けられ、この回転軸部２１１には、例えば多角形形状の嵌合孔２１２が同軸的に設けられる。そして、この嵌合孔２１２には、ハンドルを構成する連結部材２４の一端部に設けられた嵌合部２４１が軸方向に移動自在に嵌合される。
【００２０】
上記連結部材２４の嵌合部２４１には、一端に螺子孔２４２が同軸的に設けられ、この螺子孔２４２には、リール本体１０の一方の側壁に設けられた貫通孔１０１を貫通して螺合操作自在に配される螺子部材２５の螺子部２５１がガタ防止部材２６を介して螺合される。これにより、連結部材２４は、螺子部材２５を回転操作して、その螺子部２５１の螺子孔２４２に対する螺合が調整されると、その嵌合部２４１が駆動歯車２１の回転軸部２１１の嵌合孔２１２に案内されて軸方向に移動され、図２中実線で示すハンドルアーム展開位置から図２中二点鎖線で示すハンドルアーム折畳み位置に移動案内される。
【００２１】
また、連結部材２４の嵌合部２４１の他端には、延出部２４３が設けられ、この延出部２４３の先端部には、係合孔２４４が軸方向に対して略直交する面上で、且つ上記ハンドルアーム２０の延出方向に略平行に形成される（図３（ａ）、（ｂ）及び図４（ａ）、（ｂ）参照）。この延出部２４３は、リール本体１０の他方の側壁に近接して配したカバー部材２７内に挿通されて，該カバー部材２７の先端部より、その係合孔２４４が突出されて配される。そして、この連結部材２４の延出部２４３の係合孔２４４には、取付け用係合ピン２８の中間部が、その両端部を突出させた状態で嵌合される。
【００２２】
また、連結部材２４の延出部２４３の先端部には、上記ハンドルアーム２０の中間部が回転操作可能に組付けられる。ハンドルアーム２０には、その両端部に握持用摘み部２０１がそれぞれ回転操作可能に立設されて配される。このハンドルアーム２０の中間部には、回動案内凹部２０２が設けられ（図５（ａ）、（ｂ）参照）、この回動案内凹部２０２の底面には、挿通孔２０３が設けられる。この回動案内凹部２０２及び挿通孔２０３には、図７に示すように上記連結部材２４が、その延出部２４３をハンドルアーム２０の回動案内凹部２０２を通して挿通孔２０３を挿通させて係合孔２４４を突出させた状態で、その係合孔２４４に係合ピン２８を挿入することにより、連結部材２４に組付けられる。
【００２３】
挿通孔２０３の側壁には、一対のピン収容部２０４が上記係合ピン２８の両端部に対応して設けられ、このピン収容部２０４には、連結部材２４の係合孔２４４に挿入された係合ピン２８の両端部が収容される（図５及び図６参照）。そして、この挿通孔２０３の一対のピン収容部３０４の側壁には、それぞれ取付け螺子孔２０５が設けられる。
【００２４】
また、挿通孔２０３の開口側には、段部２０６が閉塞部材２９に対応して設けられ、この段部２０６には、閉塞部材２９が挿着される（図５（ａ）、（ｂ）参照）。この閉塞部材２９には、例えば２個の透孔２９１が上記ハンドルアーム２０の挿通孔２０３の取付け螺子孔２０５に対応して設けられ、この透孔２９１には、別体の固定部材である固定螺子３０が選択的に挿通される（図６（ａ）、（ｂ）参照）。この固定螺子３０は、閉塞部材２９の透孔２９１に挿通された後、挿通孔２０３の取付け螺子孔２０５に螺合される。この状態で、固定螺子３０は、その先端部が上記連結部材２４の係合孔２４４に挿入した係合ピン２８の両端部に当接されて該係合ピン２８をピン収容部２０４内に位置決めして連結部材２４とハンドルアーム２０との連結を実行する。
【００２５】
このように、別体の固定螺子３０を用いて閉塞部材２９のハンドルアーム２０への取付け及び連結部材２４に配した係合ピン２８の位置決めを行っていることで、確実な折畳み展開操作を実現したうえで、ハンドルアーム２０及び閉塞部材３１の形状の簡略化が図れ、その製作加工を切削工程のみでも容易に実現することが可能となり、加工製作の簡便化が図れて、加工費の軽減を図ることが可能となる。
【００２６】
上記構成において、図２中実線で示す展開状態において、ハンドルアーム２０は、その摘み部を握持して回転操作される。すると、この操作力は、係合ピン２８を介して連結部材２４の先端部に伝達され、該連結部材２４が軸回りに回転される。この連結部材２４の回転に連動して駆動歯車２１が回転され、上記巻取り駆動機構を構成する回転機構及びオシレーティング機構が駆動されて、ロータ１５が回転駆動されると共に、スプール１６が前後方向に往復移動され、ベール１３及び釣糸案内部１４で案内された釣糸がスプール１６の周壁に巻回される。
【００２７】
次に、上記リール本体１０に展開されたハンドルアーム２０を折り畳む場合には、上記螺子部材２５を回転操作して、その螺子部２５１を連結部材２４の嵌合部２４１の螺子孔２４２に対する螺合を緩めることで、図３（ａ）、（ｂ）に示すようにカバー部材２７とハンドルアーム２０との間に間隙を形成する。ここで、ハンドルアーム２０は、その回動案内凹部２０２内において、延出方向回りである連結部材２４の係合ピン２８回りに図３（ｂ）中反時計方向に回動させることで、図４（ａ）、（ｂ）に示すように折畳み収納される。この折畳み操作の際、ハンドルアーム２０は、その延出方向回りである係合ピン回りに回動されることで、ガタ付きない安定した折畳み動作が実現される。
【００２８】
続いて、この折畳み状態において、上記螺子部材２５を反転操作して、その螺子部２５１を連結部材２４の螺子孔２４２に締付けることで、ハンドルアーム３０が折畳み位置で位置規制される。
【００２９】
また、折畳まれたハンドルアーム２０は、展開させる場合、上記折畳み操作と略逆の手順で行われることで、詳細な説明を省略するが、同様にその延出方向回りである係合ピン２８回りに回動されて展開されることで、ガタ付きの無い安定した折畳み展開動作が実現される。
【００３０】
このように、上記魚釣用リールのハンドルは、ハンドルアーム２０を、連結部材２４に対して該連結部材２４の略軸芯に略直交する面上で、且つその略延出方向が軸方向の係合ピン２８を介して回動自在に連結配置し、延出方向回りである係合ピン２８回りに回動されて折畳み展開されるように構成した。
【００３１】
これによれば、特にハンドルアーム２０のガタ付き抑え手段を付加することなく、製作加工に適した簡易な構成で、その折畳み及び展開動作におけるガタ付き防止が実現されて信頼性の高い安定したハンドル折畳み展開を実現することが可能となる。また、これによれば、製作加工に適した簡易なハンドル構造を実現することが可能となることで、製作加工の簡略化が図れ、製作性の向上を図ることができる。
【００３２】
さらに、これによれば、ダブルハンドル型ハンドルアーム２０における折畳み構造にネジ式の折畳み構造を採用することが可能となり、金型コストや部品コストを大幅に減らすことが可能となる。
【００３３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３４】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３５】
【図１】この発明の一実施の形態に係る魚釣用リールのハンドルの外観を側面から見た状態を示した平面図である。
【図２】図１の要部を断面して示した一部断面図である。
【図３】図１のハンドル展開状態を示すもので、（ａ）は、平面図、（ｂ）は、（ａ）のＡ−Ａ断面図である。
【図４】図１のハンドル折畳み状態を示すもので、（ａ）は平面図、（ｂ）は、（ａ）のＡ−Ａ断面図である。
【図５】図１の要部を断面して示すもので、（ａ）は、連結部材とハンドルアームとの連結部を軸方向で断面した断面図、（ｂ）は、（ａ）のＢ−Ｂ断面図である。
【図６】図５から閉塞部材を離脱させた状態の断面を示すもので、（ａ）は、連結部材とハンドルアームとの連結部を軸方向で断面した断面図、（ｂ）は、（ａ）のＢ−Ｂ断面図である。
【図７】図１の連結部材にハンドルアームを組付ける状態の断面を示すもので、（ａ）は、連結部材とハンドルアームとの連結部を軸方向で断面した断面図、（ｂ）は、（ａ）のＢ−Ｂ断面図である。
【符号の説明】
【００３６】
１０…リール本体、１１…脚部、１２…竿取付部、１３…ベール、１４…釣糸案内部、１５…ロータ、１６…スプール、１７…切換レバー、２０…ハンドルアーム、２０１…握持用摘み部、２０２…回動案内凹部、２０３…挿通部、２０４…ピン収容部、２０５…取付け螺子孔、２０６…段部、２１…駆動歯車、２１１…回転軸部、２１２…嵌合孔、２２…軸受、２４…連結部材、２４１…嵌合部、２４２…螺子孔、２４３…延出部、２４４…係合孔、２４５…螺子部、２５…螺子部材、２５１…螺子部、２６…ガタ防止部材、２７…カバー部材、２７１…螺子孔、２８…係合ピン、２９…閉塞部材、２９１…透孔、３０…固定螺子。
【図１】
2006204141.tif 000003
【図２】
2006204141.tif 000004
【図３】
2006204141.tif 000005
【図４】
2006204141.tif 000006
【図５】
2006204141.tif 000007
【図６】
2006204141.tif 000008
【図７】
2006204141.tif 000009